【手続補正書】
【提出日】平成20年11月14日(2008.11.14)
【手続補正１】
【補正対象書類名】明細書
【補正対象項目名】０００２
【補正方法】変更
【補正の内容】
【０００２】
タービン発電機などの回転電気機械は、中空円筒形状の固定子と、この中空部の直径よりも幾分直径の小さい円筒形状の回転子とが、空隙（エアーギャップ）を介して同心上に配置された状態で構成されている。この固定子及び回転子は、各々銅などの導電性のバー、いわゆるコイルを鉄心スロットの軸方向に配しており、回転子側のコイルを励磁した状態で回転子を回転させると、固定子側に電流が誘起される。
【手続補正２】
【補正対象書類名】明細書
【補正対象項目名】００３２
【補正方法】変更
【補正の内容】
【００３２】
また、間隔片２０の接触面の外径側２１ｅと内径側２１ａとを通風路２６側に交互に突出するように形成することにより、間隔片２０による保持能力を強化することができる。
【手続補正３】
【補正対象書類名】明細書
【補正対象項目名】００３７
【補正方法】変更
【補正の内容】
【００３７】
（構成）
本発明の実施形態２を、図１４ないし図２７を参照して説明する。図１４は、発電機の回転子端部の回転子コイル１０を上面から見た展開図を示しており、回転子鉄心３０の外側に位置する回転子コイル１０の端部間において、コイル直線部１２には図１５に示す一体型の間隔片２０Ｊを設けている。間隔片２０Ｊは図１５(a)で示すように冷却ガスＡを出口付近で内径側に曲げて流出させる接触部２１ｆを有する。冷却ガスＡはコイル１０と回転子シャフトとの間に排出された後、鉄心スロット部３２の下部に形成されているサブスロット３２ａに流入するようになっている。なお、間隔片２０Ｊはコイル円弧部１１に設置してもよい。図１５の間隔片２０Ｊでは、回転子コイル１０端部の直線部１２と接する面の両側を切り欠いているが、図１６に示す間隔片２０Ｋのように、何れか一方を切り欠くことや、図１７に示す間隔片２０Ｌのようにコイル１０と接する接触部２１を左右非対称となるように切り欠いてもよく、基本的に間隔片の内径側でコイル直線部１２と接触している構造であればよい。なお、図１７(a)は平面図、図１７(b)は横断面図、図１７(c)は正面図、図１７(d)は背面図である。
【手続補正４】
【補正対象書類名】明細書
【補正対象項目名】００４１
【補正方法】変更
【補正の内容】
【００４１】
さらに、図２３に示す間隔片２０Ｑのように、斜め方向に延長する接触部２１をコイル円弧部１１側の終端の内径側２１ａを超えて２１ｃ，２１ｄのように内側に延長し、コイル１０の下にまで突き出した形状としてもよい。このとき、その通風路２６を分割する接触部２１ｂの形状は、図２３に示す間隔片２０Ｑのように、直線的としてもよく、図２４に示す間隔片２０Ｒのように波線状とすることも有効である。また、図２５に示す間隔片２０Ｓのように、図２７の絶縁筒に接する外径側２１ｅと鉄心３０側の内径側２１ａとで交互に通風路２６側に突出するように設け、蛇行状にコイル１０の側面流路を構成することも有効である。
【手続補正５】
【補正対象書類名】明細書
【補正対象項目名】００４３
【補正方法】変更
【補正の内容】
【００４３】
この図２６に示すように、回転子シャフトに沿って図示左側から流入した冷却ガス流は、エンドリング３４の図示左端に設けられたエンドリング支え３５を通過すると回転子シャフトに沿って図示右方向に直進する主流の流れと、間隔片２０Ｑに設けられた通風路２６Ｕ，２６Ｄを通る流れＡ，Ｂ、および回転子シャフトから離れて図示上方に向かう流れＣとに別れる。
【手続補正６】
【補正対象書類名】明細書
【補正対象項目名】００４４
【補正方法】変更
【補正の内容】
【００４４】
そして、間隔片２０Ｑに設けられた通風路２６Ｕ，２６Ｄを通った流れＡ，Ｂは、鉄心端に達すると回転子シャフトに沿って流れてきた主流Ｃと合流して軸方向に貫通して設けられたサブスロット３２ａに流れ込み、回転子鉄心を冷却した後空隙から排出される。
【手続補正７】
【補正対象書類名】明細書
【補正対象項目名】００５４
【補正方法】変更
【補正の内容】
【００５４】
【図１】本発明の実施形態１である回転電機の回転子鉄心外側の回転子コイルと間隔片の配置位置を示す平面図。
【図２】本発明の実施形態１である回転電機の回転子コイル用間隔片を示し、図２(a)は側面図、図２(b)は平面図、図２(c)は横断面図、図２(d)は端面図。
【図３】本発明の実施形態１の第１応用例である回転子コイル用間隔片の断面図。
【図４】本発明の実施形態１の第２応用例である回転子コイル用間隔片を示し、図４(a)は左側面図、図４(b)は右側面図、図４(c)は横断面図。
【図５】本発明の実施形態１である回転子コイルと間隔片を設置した断面を示す図。
【図６】本発明の実施形態１である回転子鉄心端部の冷却ガス貫通孔を示す図。
【図７】本発明の実施形態１の第３応用例である回転子コイル用間隔片を示し、図７(a)は側面図、図７(b)は横断面図。
【図８】本発明の実施形態１の第４応用例である回転子コイル用間隔片の側面図。
【図９】本発明の実施形態１の第５応用例である回転子コイル用間隔片の側面図。
【図１０】本発明の実施形態１の第６応用例である回転子コイル用間隔片の側面図。
【図１１】本発明の実施形態１の第７応用例である回転子コイル用間隔片の側面図。
【図１２】本発明の実施形態１の第８応用例である回転子コイル用間隔片の側面図。
【図１３】本発明の実施形態１の第９応用例である回転子コイル用間隔片の側面図。
【図１４】本発明の実施形態２である回転電機の回転子鉄心外側の回転子コイルと間隔片の配置位置を示す平面図。
【図１５】本発明の実施形態２である回転子コイル用間隔片を示すし、図１５(a)は側面図、図１５(b)は平面図、図１５(c)は横断面図。
【図１６】本発明の実施形態２の第１応用例である回転子コイル用間隔片の横断面図。
【図１７】本発明の実施形態２の第２応用例である回転子コイル用間隔片を示し、図１７(a)は平面図、図１７(b)は横断面図、図１７(c)は正面図、図１７(d)は背面図。
【図１８】本発明の実施形態２である回転子コイルに間隔片を設置した状態を示す断面図。
【図１９】本発明の実施形態２の第３応用例である回転子コイル用間隔片の側面図。
【図２０】本発明の実施形態２の第４応用例である回転子コイル用間隔片の側面図。
【図２１】本発明の実施形態２の第５応用例である回転子コイル用間隔片の側面図。
【図２２】本発明の実施形態２の第６応用例である回転子コイル用間隔片の側面図。
【図２３】本発明の実施形態２の第７応用例である回転子コイル用間隔片の側面図。
【図２４】本発明の実施形態２の第８応用例である回転子コイル用間隔片の側面図。
【図２５】本発明の実施形態２の第９応用例である回転子コイル用間隔片の側面図。
【図２６】本発明の実施形態２による間隔片における冷却風の流れを示す側面図。
【図２７】図２６における冷却風の流れによる冷却作用の基となる流量比対圧力損失の特性を示す特性図。
【図２８】本発明を適用した場合の、回転子コイルの長手方向温度分布を示す図。
【図２９】従来の回転電機の回転子の構成を示す軸方向断面図。
【図３０】従来の回転子コイルの水平方向展開図。
【図３１】従来の回転子コイルの間隔片を示す斜視図。
【図３２】従来の回転子コイルを示す斜視図。
【図３３】従来の回転子コイルの長手方向温度分布を示す図。
【手続補正８】
【補正対象書類名】明細書
【補正対象項目名】００５５
【補正方法】変更
【補正の内容】
【００５５】
１０：回転子コイル、１０Ａ：通風溝、１０Ｂ：冷却ガスの取入れ口、
１１：コイル円弧部、１２：コイル直線部、１３：回転子シャフト、
１４：半径方向ダクト、２０，２０Ａ〜２０Ｓ：間隔片、
２１，２１ａ，２１ｂ，２１ｅ，２１ｆ：接触部、２２：切欠き部、２３：連通孔、
２５：排出口、２６：通風路、３０：回転子鉄心、３１：貫通孔、
３２：鉄心スロット部、３２ａ：サブスロット、３３：ティース部、
３４：エンドリング、３５：エンドリング支え、Ａ，Ｂ：冷却ガス流れ方向。
【手続補正９】
【補正対象書類名】図面
【補正対象項目名】図２６
【補正方法】変更
【補正の内容】
【図２６】
2007300718.tif 000001